(57)【要約】【課題】  引き違い折畳み開閉自在のサッシにおけるサッシ戸をその引違い時に誤って折畳まれるのを防止するとともに簡単な操作でサッシ戸の折畳み開閉を可能とする。【解決手段】  引違いサッシ戸１０の中間連結枠１４をガイドレール２５の切欠部２７で係脱することによって折畳みを可能とし，このとき切欠部２７をサッシ戸１０の戸当ブロック３０に召合框１１が当る位置より幾分戸当ブロック３０側に設けるとともに召合框１１にこの戸当ブロック３０に係脱自在のロッド４３を備えたストッパー４０を設置し，その操作によってサッシ戸１０の召合框１１を戸当ブロック３０側に移動し，中間連結枠１４を切欠部２７に移動してサッシ戸１０の折畳みを可能とする。引違い時にはストッパー４０を戸当ブロック３０に係合して召合框１１を定位置に保持し，その誤動作を防止できる。【選択図】        図６
2005030110.tif 000002
【特許請求の範囲】
【請求項１】
サッシ戸を戸先框，召合框及び中間連結枠を介してこれら戸先框と召合框間に回動自在に設置した仕切パネルを備えることによって折畳み自在に構成し，サッシ枠の上下枠に設置した２条のガイドレールに内外２枚の各サッシ戸の戸先框及び召合框を常時係合し且つ召合框が戸当ブロックに受止めされたサッシ戸開成の逆配置状態における中間連結枠の位置よりやや戸当ブロック側に変位してガイドレールに配置した切欠部において中間連結枠を係脱自在とすることによってサッシ戸の引違い開閉と折畳み開閉の双方を自在としたサッシであって，上記サッシ戸の召合框に上記戸当ブロックに係合するストッパーを設けて中間連結枠の切欠部への到達を防止し，該ストッパーの戸当ブロックへの係合を解除して召合框を戸当ブロック上に移動することによって上記中間連結枠の切欠部への到達を自在としてなることを特徴とする引違い折畳み開閉自在のサッシ。
【請求項２】
上記ストッパーを召合框に突没自在乃至起倒自在に配置し，その突出乃至起立によって戸当ブロックに係合し，没入乃至転倒によって該係合を解除自在としてなることを特徴とする請求項１に記載の引違い折畳み開閉自在のサッシ。
【請求項３】
上記ストッパーの突出乃至起立を常態とし，操作によって没入乃至転倒を自在としてなることを特徴とする請求項２に記載の引違い折畳み開閉自在のサッシ。
【請求項４】
上記ストッパーを，召合框の戸当ブロック上移動状態で該戸当ブロックに係止自在としてなることを特徴とする請求項１，２又は３に記載の引違い折畳み開閉自在のサッシ。
【発明の詳細な説明】
【技術分野】
【０００１】
本発明はサッシに関し，特に引違い開閉と折畳み開閉の双方を選択的になし得るようにした引違い折畳み開閉自在のサッシに関する。
【背景技術】
【０００２】
本発明者は本発明の出願時に未公開の下記特許文献１によってこの種の引違い折畳み開閉自在のサッシを提案済であり，これによれば，例えば，サッシ戸を戸先框，召合框及び中間連結枠を介してこれら戸先框と召合框間に回動自在に設置した仕切パネルを備えることによって折畳み自在に構成し，サッシ枠の上下枠に設置した２条のガイドレールに内外２枚の各サッシ戸の戸先框及び召合框を常時係合し且つ召合框が戸当ブロックに受止めされたサッシ戸開成の逆配置状態における中間連結枠の位置よりやや戸当ブロック側に変位してガイドレールに配置した切欠部において中間連結枠を係脱自在とすることによってサッシ戸の引違い開閉と折畳み開閉の双方を自在としたものとされ，このとき中間連結枠の係脱は，例えば戸当ブロックをガイドレールの長さを可変とするように回動自在に配置することによって，該戸当ブロックを回動操作して召合框の位置を可変とすることによって中間連結枠の切欠部への到達を防止し，また中間連結枠の切欠部への到達を自在とするものとされる。
【０００３】
この構成によれば，一般の引違いサッシと同様にサッシ閉成時にガイドレールをサッシ戸との気密要素として用いながら，サッシの気密性を損うことのないガイドレール位置に切欠部を設けることによってサッシ戸の折畳み開閉を可能として，高度な気密性を確保したサッシとして簡単な構造でその引違い開閉と折畳み開閉の双方を可能とすることができ，また戸当ブロックによって中間連結枠が切欠部に到達するのが防止されるから引違い開閉をしようとしてサッシ戸を開成しても，サッシ戸が誤って折畳まれる可能性を解消した引き違い折畳み開閉自在のサッシを提供することができる。
【０００４】
【特許文献１】特願２００２−２０５２５６号先行出願
【発明の開示】
【発明が解決しようとする課題】
【０００５】
しかしこの場合戸当ブロックの回動操作をする必要があるところ，一般に戸当ブロックは目立たないようにサッシ枠の縦枠下端に設置されることが多く，例えばテラスサッシの場合，屈み込んで戸当ブロックの回動操作を行なうことが必要になる一方，例えば縦枠の上下中間位置にこれを設置することによって屈み込んだ操作を不用とすることができるが，外観を損なうという結果となる。
【０００６】
またサッシ戸の開成に連動するようにすれば同じく屈み込んだ回動操作を不要とすることが可能となるが，戸当ブロックはサッシの幅方向端部に設置され，サッシ戸はサッシの幅方向に可動であるが，機構が複雑になって故障原因となったりする可能性が残り，現実には様々な問題点を招くことになり易い。
【０００７】
本発明はかかる事情に鑑みてなされたもので，その解決課題とするところは，戸当ブロックに触れることなく，可及的容易な操作によってサッシ戸の折畳み開閉とその誤動作を防止し得るようにして使い勝手のよい引違い折畳み開閉自在のサッシを提供するにある。
【０００８】
可及的容易な操作によってサッシ戸の折畳み開閉とその誤動作を防止し得るようにして使い勝手のよい引違い折畳み開閉自在のサッシを提供するにある。
【課題を解決するための手段】
【０００９】
上記課題に添って本発明は，上記サッシ戸の引違い開閉と折畳み開閉の双方を自在としたサッシを用いるとともにサッシ戸の召合框にストッパーを設け，これを戸当ブロックに係脱自在とし，常態において戸当ブロックが該ストッパーを介して召合框を受止めて召合框を所定位置に保持することにより中間連結枠が切欠部に到達するのを防止する一方，ストッパーの操作によって戸当ブロックへの係合を解除して召合框が戸当ブロックの定位置より縦枠側に移動することにより中間連結枠が切欠部に到達しその折畳みを可能とするように構成したものである。
【００１０】
即ち請求項１に記載の発明は，サッシ戸を戸先框，召合框及び中間連結枠を介してこれら戸先框と召合框間に回動自在に設置した仕切パネルを備えることによって折畳み自在に構成し，サッシ枠の上下枠に設置した２条のガイドレールに内外２枚の各サッシ戸の戸先框及び召合框を常時係合し且つ召合框が戸当ブロックに受止めされたサッシ戸開成の逆配置状態における中間連結枠の位置よりやや戸当ブロック側に変位してガイドレールに配置した切欠部において中間連結枠を係脱自在とすることによってサッシ戸の引違い開閉と折畳み開閉の双方を自在としたサッシであって，上記サッシ戸の召合框に上記戸当ブロックに係合するストッパーを設けて中間連結枠の切欠部への到達を防止し，該ストッパーの戸当ブロックへの係合を解除して召合框を戸当ブロック上に移動することによって上記中間連結枠の切欠部への到達を自在としてなることを特徴とする引違い折畳み開閉自在のサッシとしたものである。
【００１１】
請求項２に記載の発明は，上記に加えて，ストッパーを召合框に突没自在乃至起倒自在とすることによって可及的簡易な構造とするとともに故障や誤動作を防止して長期の安定性を確保したものとするように，これを，上記ストッパーを召合框に突没自在乃至起倒自在に配置し，その突出乃至起立によって戸当ブロックに係合し，没入乃至転倒によって該係合を解除自在としてなることを特徴とする請求項１又は２に記載の引違い折畳み開閉自在のサッシとしたものである。
【００１２】
請求項３に記載の発明は，同じく上記に加えて，突出乃至起立の戸当ブロック係合をサッシ戸の常態とすることによって一般に引違い開閉の多いサッシ戸の折畳み誤動作の防止を更に確実とするように，これを，上記ストッパーの突出乃至起立を常態とし，操作によって没入乃至転倒を自在としてなることを特徴とする請求項２に記載の引違い折畳み開閉自在のサッシとしたものである。
【００１３】
請求項４に記載の発明は，同じく上記に加えて，戸当ブロック上に召合框が移動した状態でストッパーを戸当ブロックに係止することによって折畳み開閉時に召合框を定位置に固定してその揺動を防止し得るように，これを，上記ストッパーを，召合框の戸当ブロック上移動状態で該戸当ブロックに係止自在としてなることを特徴とする請求項１，２又は３に記載の引違い折畳み開閉自在のサッシとしたものである。
【００１４】
本発明はこれらをそれぞれ発明の要旨として上記課題解決の手段としたものである。
【発明の効果】
【００１５】
本発明は以上の構成によるものとしたから，請求項１に記載の発明は，常態において戸当ブロックが該ストッパーを介して召合框を受止めて召合框を所定位置に保持することにより中間連結枠が切欠部に到達するのを防止する一方，ストッパーの操作によって戸当ブロックへの係合を解除して召合框が戸当ブロックより縦枠側に移動することにより中間連結枠が切欠部に到達しその折畳みを可能として，戸当ブロックに触れることなく，可及的容易な操作によってサッシ戸の折畳み開閉とその誤動作を防止し得るようにして使い勝手のよい引違い折畳み開閉自在のサッシを提供することができる。
【００１６】
請求項２に記載の発明は，上記に加えて，ストッパーを召合框に突没自在乃至起倒自在とすることによって可及的簡易な構造とするとともに故障や誤動作を防止して長期の安定性を確保した引違い折畳み開閉自在のサッシとすることができる。
【００１７】
請求項３に記載の発明は，同じく上記に加えて，突出乃至起立の戸当ブロック係合をサッシ戸の常態とすることによって一般に引違い開閉の多いサッシ戸の折畳み誤動作の防止を更に確実とした引違い折畳み開閉自在のサッシとすることができる。
【００１８】
請求項４に記載の発明は，同じく上記に加えて，戸当ブロック上に召合框が移動した状態でストッパーを戸当ブロックに係止することによって折畳み開閉時に召合框を定位置に固定してその揺動を防止する引違い折畳み開閉自在のサッシとすることができる。
【発明を実施するための最良の形態】
【００１９】
以下図面の例に従って本発明を更に具体的に説明すれば，Ａは引き違い折畳み開閉自在のサッシであり，該サッシＡは，サッシ戸１０を戸先框１１，召合框１２及び中間連結枠１４を介してこれら戸先框１１と召合框１２間に回動自在に設置した仕切パネル１３を備えることによって折畳み自在に構成し，サッシ枠２０の上下枠２１，２２に設置した２条のガイドレール２４に内外２枚のサッシ戸１０の戸先框１１及び召合框１２を常時係合し且つ召合框１１が戸当ブロック３０に受止めされたサッシ戸１０開成の逆配置状態における中間連結枠１４の位置よりやや戸当ブロック３０側に変位してガイドレール２４に配置した切欠部２７において中間連結枠１４を係脱自在とすることによってサッシ戸１０の引違い開閉と折畳み開閉の双方を自在としたものとしてあり，本例にあって該サッシＡは，これを，例えばアルミ製又はアルミと樹脂，木材等の複合材料製の肘掛窓乃至テラス窓用にして戸先框１１及び召合框１２の上方に突設した上吊りローラー１７をサッシ枠２０の上枠２１に設置したサッシ戸１０の上吊り用ガイドレール２４に転動自在に載置係合するとともに同じく戸先框１１及び召合框１２の下方に突設したガイドローラー乃至スラシ１８を下枠２２に設置した振止用のガイドレール２６に転動乃至摺動自在に挿入係合することによって各サッシ戸１０をサッシ枠２０に上吊り装着するようにした上吊りサッシとして構成してあり，このとき上記中間連結枠１４の係合はその上端において上枠２１の上記上吊り用ガイドレール２４と平行に配置した中間連結枠案内用のガイドレール２５に，下端において下枠２２の上記振止用のガイドレール２６にそれぞれ係脱自在に係合するようにしたものとしてある。
【００２０】
本例にあってサッシ戸１０は，これを，戸先框１１，召合框１２，同幅２枚の仕切パネル１３及び該仕切パネル１３間介設用単一の中間連結枠１４を備えてＶ字状折畳み自在としてあり，即ち本例のサッシ戸１０は，戸先框１１と召合框１２を幅方向両端に配置し，これらの間に仕切パネル１３を回動自在にヒンジ１６連結するとともに該仕切パネル１３間に中間連結枠１４を同じく回動自在にヒンジ１６連結して介設することによって構成するとともに上記内外２枚のサッシ戸１０の高さを室外側で高く，室内側でやや低くして構成してあり，このとき本例の上記ヒンジ１６連結は，これを，戸先框１１，召合框１２，仕切パネル１３及び中間連結枠１４の連結端部にそれぞれ一体又は一体的に設置した一方の軸受と他方の軸とを回動自在に嵌合することによってそれぞれ１／４円の回動を行うように形成した長手方向全長とした，例えばアルミ押出材等による全面ヒンジによるものとし，該ヒンジ１６部分によってサッシＡの気密性が損なわれることのないようにサッシ戸１０としてその高気密性を確保するものとしてある。
【００２１】
サッシ枠２０は上下枠２１，２２及び左右の縦枠２３を枠組みして矩形の開口を形成し，上記サッシ戸１０の高さにあわせてその開閉案内を行うように，上枠２１に内外２条のガイドレール，本例にあっては各サッシ戸１０に上吊り用のガイドレール２４と中間連結枠案内用のガイドレール２５を，下枠２２に同じく内外２条の上記振止用のガイドレール２６を備えたものとし，本例にあって該内外２条のガイドレールは，これを，上枠２１においてその基体から室内側にＬ字状をなすように突出形成した浅溝水平にして上記サッシ戸１０の高さに合わせて内外で段差をなすようにした上記戸先框１１及び召合框１２の上吊り用のガイドレール２４とその各室内側に段差をなすように基体乃至ガイドレール２４から突出配置して室内外に対向する突出フィン乃至突出壁によって溝条を区画形成した上下方向に貫通の溝レールによる中間連結枠案内用のガイドレール２５によるものとし，下枠２２において同じくその基体から突出配置した室内外に対向する突出フィン乃至突出壁によって溝条を区画形成した断面コ字状をなし，上記戸先框１１，召合框１２及び中間連結枠１４に共通の溝レールによるものとしてある。
【００２２】
内外２枚のサッシ戸１０は，その戸先框１１，召合框１２の上下端を上記内外２条のガイドレール２４，２６に，中間連結枠１４の上下端を同じく内外２条のガイドレール２５にそれぞれ係合することによって，サッシ戸１０を伸張した状態で各単一の引戸として，該ガイドレール２４乃至２６の案内によってその引き違い開閉を可能とし，また戸先框１１及び召合框１２をガイドレール２４に係合したまま中間連結枠１４の係合をガイドレール２５から解除して，該中間連結枠１４をガイドレール２５交差方向の室内側又は室外側に脱出させ，サッシ戸１０の仕切パネル１３を戸先框１１及び召合框１２を基準として回動するように室外側又は室内側に向けてサッシ戸１０をＶ字状に折畳み開成し，またガイドレール２５に係合させて逆にサッシ戸１０を単一の引戸をなすように伸張閉成して，中間連結枠１４のガイドレール２５係脱によってサッシ戸１０の折畳み開閉を行うようにしてあり，本例の戸先框１１，召合框１２及び中間連結枠１４における上記ガイドレール２４乃至２６への係合は，これらの上下端を転動自在乃至摺動自在に載置係合し又は挿入係合することによって行ってあり，本例の該上下端嵌挿による係合は，戸先框１１及び召合框１２においてその上端の上吊りローラー１７をガイドレール２４に載置係合し，下端のガイドローラー乃至スラシ１８をガイドレール２６に挿入係合して行ったものとし，このとき中間連結枠１４においてはその上下端にそれぞれ上下に突出するように同じくガイドローラー乃至ガイドスラシ１８を設置し，これを上下枠２１，２２の上記ガイドレール２５，２６に同じく摺動自在乃至転動自在に挿入係合することによって行ったものとしてある。
【００２３】
本例のサッシＡにあってその気密性確保は，この種引き違いサッシにおける気密手段確保の常法に従ってサッシ枠２０と閉成配置したサッシ戸１０との間及びサッシ戸１０の召合框１２間にそれぞれ気密材２８を介設配置することによってこれらを気密性確保の要素として行うものとしてあり，本例にあって該気密材２８は上下枠２１，２２及び縦枠２３にサッシ戸１０側に突出して設置しそれぞれサッシ戸１０の室内側においてその上下端の横框１５乃至戸先框１１に対接するようにするとともに召合框１２の一方から他方に向けて突出して設置し他方の召合框１２に対接するようにし，サッシ戸１０を閉成配置した状態でこれら気密材２８が室内外を遮断封止してその気密性を確保するようにしてある。
【００２４】
本例にあって上記中間連結枠１４の係脱を行なう切欠部２７は，ガイドレール２５，２６の溝レールを区画形成するように上枠２１及び下枠２２の各基体から室内外に対向するように配置した上記突出フィン乃至突出壁にその長手方向所定位置に切欠加工を施すことによって行ってあり，本例にあって上枠２１においては中間連結枠１４の上記ガイドローラー乃至スラシ１８の径乃至幅に合わせて該位置にやや大きめのＵ字状の切欠加工を施し，また下枠２２においては該位置から戸当ブロック側を一連に開放するように幅広のＬ字状の切欠加工を施したものとしてあり，これによって中間連結枠１４の上下端，本例にあってはそのガイドローラー乃至ガイドスラシ１８の溝レールに対する受入による係合と脱出による係合解除を行うようにしてある。
【００２５】
このとき切欠部２７は，これを，各サッシ戸１０を他方のサッシ戸１０の室内側又は室外側の位置に開成移動し，該サッシ戸１０の召合框１１が，サッシ枠２０，特にその縦枠２３の上下端又はその一方，本例にあっては下端に設置した戸当ブロック３０に衝接するようにこれに受止めされた，サッシ戸１０閉成状態とは逆に開成した逆配置状態において，その中間連結枠１４の位置より，例えば戸当ブロック３０の長さに応じて数ｃｍ程度戸当ブロック３０側，即ちその縦枠  側に変位した位置で，上記加工を施すことによってこれを配置してある。
【００２６】
このように構成したサッシＡにあって，上記サッシ戸１０の召合框１１に上記戸当ブロック３０に係合するストッパー４０を設けて中間連結枠１４の切欠部２７への到達を防止し，該ストッパー４０の戸当ブロック３０への係合を解除して召合框１１を戸当ブロック３０上に移動することによって上記中間連結枠１４の切欠部２７への到達を自在としてある。
【００２７】
本例のストッパー４０は，これを，召合框１１に突没自在乃至起倒自在に配置し，その突出乃至起立によって戸当ブロック３０に係合し，没入乃至転倒によって該係合を解除自在としたものとしてあり，このとき本例の上記ストッパー４０は，その突出乃至起立を常態とし，操作によって没入乃至転倒を自在としたものとしてある。
【００２８】
本例にあってストッパー４０は，各サッシ戸１０の召合框１１の中空部に設置し召合框１１の長手方向中間位置に設置した操作部４５の操作によって召合框１１の長手方向端部の上下端又はその一方の戸当ブロック３０側，本例では戸当ブロック下端側に突没自在とした召合框内蔵の落し錠乃至これに準じた昇降装置によるものとするとともにストッパー４０の突出を常態とするように該ストッパー４０を付勢手段によって付勢してその戸当ブロック３０への係合を常時なし得るようにしてある。
【００２９】
本例のストッパー４０は，召合框１１の長手方向中間の，クレセント１９設置面と避けた室内側面に該クレセント１９と同高さ位置に内蔵した断面コ字状乃至ボックス状の中間ガイド４１と，長手方向端部，本例にあっては下端に内蔵した端部ガイド４２と，これら中間ガイド４１と端部ガイド４２間に上下動案内自在に係合支持し戸当ブロック３０に対する係脱部材をなすロッド４３と，中間ガイド４１内でロッド４３固定のブロック４４から室内側に突出するように設置した操作部４５をなす摘みと，中間ガイド４１の対向面でロッド４３を突出方向に付勢する上記付勢手段としてのスプリング４６と，召合框１１の室内側で中間ガイド４１を支持し操作部４５の摘みをスライドする長孔を設けた化粧カバー４７とを備えたものとしてある。
【００３０】
従って本例にあってロッド４３は，上記スプリング４６によって召合框１１の端部からその上下方向，本例にあっては下方に付勢されて該端部から常時突出して戸当ブロック３０の側面に係合する突出形態を常態とすることによって，サッシ戸１０を引違い開閉した際にロッド４３が戸当ブロック３０に係合することによって召合框１１が戸当ブロック３０位置で受止めされその位置が規制される結果，その中間連結枠１４が切欠部２７に到達することが防止され，該サッシ戸１０が誤って折畳まれることがないようにし，また折畳み開閉をするに際して，召合框１１の長手方向中間位置の人の操作に適した位置に設置された操作部４５の摘みを付勢手段のスプリング４６に抗してスライドすればロッド３０が戸当ブロック３０と係合しない位置に没入して係合解除となり，召合框１１が該戸当ブロック３０のサッシ戸１０受止めの定位置を超えて縦枠側の戸当ブロック３０上に移動する結果，その中間連結枠１４が切欠部２７の位置に到達し，該サッシ戸１０の折畳みが可能となる。
【００３１】
このとき本例にあって上記ストッパー４０を，召合框１１の戸当ブロック３０上移動状態で該戸当ブロックに係止自在とし，これによって戸当ブロック３０上に召合框１１が移動した状態でストッパー４０を戸当ブロック３０に係止することによって折畳み開閉時に召合框１１を定位置に固定してその揺動を防止するようにしてあり，本例にあって該ストッパー４０の係止は，戸当ブロック３０平面の面内に上下方向に開口したストッパー受孔３２を形成して戸当ブロック３０上に移動した召合框１１のストッパー４０を受入れることによってこれを行なうようにしてある。
【００３２】
本例のサッシＡは，引違いサッシとして高度な気密性を確保し，引き違い開閉と折畳み開閉の２種類の開閉を選択的に可能とし，折畳み開成によって窓開口全開のフルオープンを可能とするサッシとなし得るとともにストッパー４０を操作することによってサッシ戸１０の折畳み開閉と引違い開閉時に誤ってサッシ戸１０が折畳まれる誤動作を防止することができ，このときストッパー４０の操作は屈み込む動作を必要とすることなく，人が立ったままで容易になし得て引違い折畳みサッシとしての使い勝手を向上することができる。
【００３３】
図中３１は，上記戸当ブロック３０の側面にストッパー４０に凹陥形成して引違い開閉時にストッパー４０の安定した受止めとこれによる確実な位置規制を行なうようにした溝状受止部である。
【００３４】
図示した例は以上のとおりとしたが，上記ストッパーを召合框に起倒自在に配置し，その起立によって戸当ブロックに係合し，転倒によって該係合を解除自在としたものとすること，このとき例えば召合框の長手方向端部に係合ブロックを軸支し，該係合ブロックが戸当ブロックに係合するとともに該係合時に衝撃を受けて転倒しない状態に回動自在するように設置し且つ該係合ブロックの起倒を上記と同様に召合框室内側の操作部の操作によるロッドの昇降で行なうようにすること，またこのとき同様に付勢手段を用いて起立を常態とするようにすること，この場合を含めて戸当ブロックをサッシ枠，例えば縦枠の上下端位置に配置しストッパーを召合框の上下端に突没乃至起倒するようにするとき，操作部の上下動操作を回転運動に変換し，また回転操作を上下動運動に変換する等の連動機構を介することによって上下端の突没乃至起倒を操作部の操作によって同時に連動するようにすること，必要に応じてストッパーの突没乃至起倒を都度の操作によって行なうようにすること，ストッパーを上記係合ブロックを起倒自在とするときその底面に係止突起を設けて戸当ブロックの受孔に係止し得るようにすること，この場合を含めて，ストッパーを戸当ブロックに係止するとき，これをストッパーの上記突没乃至起倒操作とは別の操作によって必要に応じてなし得るようにすること，上記折畳み自在のサッシ戸を，戸先框，召合框，同幅４枚以上の偶数枚の仕切パネル及び該仕切パネル間開設用複数の中間連結枠を備えた蛇腹状折畳み自在のもとすること，サッシ枠の上枠に溝レールを，下枠に突出レールをそれぞれ配置し，サッシ戸を該サッシ枠の上下枠間に装着して常法によって開閉案内する引き戸サッシとして構成すること，中間連結枠を上記中間連結枠案内用のガイドレールに代えて，戸先框及び召合框を常時係合するガイドレールに係脱自在とし，これらと共通のガイドレールを用いるようにすること等を含めて，本発明の実施に当って，サッシ戸，戸先框，召合框，仕切パネル，中間連結枠，サッシ枠，上下枠，ガイドレール，切欠部，戸当ブロック，ストッパー等の各具体的構造，形状，材質，数，寸法，これらの関係，これらに対する付加等は，上記発明の要旨に反しない限り様々な形態のものとすることができる。
【図面の簡単な説明】
【００３５】
【図１】サッシの室外側正面図である。
【図２】サッシ戸を逆配置状態としたサッシの部分省略室外側正面図である。
【図３】サッシの戸先框部分の縦断面図である。
【図４】サッシの中間連結枠部分の縦断面図である。
【図５】サッシの召合框部分の縦断面図である。
【図６】召合框とクレセントの関係を示す縦断面図である。
【図７】召合框とストッパーの関係を示す横断面図である。
【図８】引違い閉成状態を示すサッシの横断面図である。
【図９】サッシ戸の逆配置状態を示すサッシの横断面図である。
【図１０】召合框が戸当ブロック上に位置したサッシの横断面図である。
【図１１】サッシ戸を折畳んだ状態のサッシの横断面図である。
【符号の説明】
【００３６】
Ａ  サッシ
１０  サッシ戸
１１  戸先框
１２  召合框
１３  仕切パネル
１４  中間連結枠
１８  ガイドローラー
１９  クレセント
２０  サッシ枠
２１  上枠
２２  下枠
２３  縦枠
２４〜２６  ガイドレール
２７  切欠き部
３０  戸当部材
４０  ストッパー
４１  中間ガイド
４２  端部ガイド
４３  ロッド
４４  ブロック
４５  操作部
４６  スプリング
４７  化粧カバー
【図１】
2005030110.tif 000003
【図２】
2005030110.tif 000004
【図３】
2005030110.tif 000005
【図４】
2005030110.tif 000006
【図５】
2005030110.tif 000007
【図６】
2005030110.tif 000008
【図７】
2005030110.tif 000009
【図８】
2005030110.tif 000010
【図９】
2005030110.tif 000011
【図１０】
2005030110.tif 000012
【図１１】
2005030110.tif 000013